(57)【要約】【課題】シリンジ等の既存の容器に装着して使用することができ、しかも取り扱いが容易で、半固形化栄養剤を薬液注入器から自動的に、投与量を調整しながら注入することができる薬液注入器用補助具を提供する。【解決手段】注入口を先端に備えた筒状部材と、該筒状部材の後端から挿入されて当該筒状部材の内部に収納した薬液を押し出す押圧部材とを備えた薬液注入器に装着する補助具であって、略円筒状の補助具本体と、該補助具本体の外周面に設けられた少なくとも２つの係止部とを有し、該少なくとも２つの係止部は互いに前記補助具本体の直径方向反対側の位置に設けられ、前記補助具本体を前記薬液注入器の筒状部材に外嵌し、前記係止部のうちの直径方向反対側の位置に設けられた２つの係止部に環状弾性部材の二点を掛止し、当該二点の間に位置する環状弾性部材の部分を前記押圧部材の後端部に当接させる薬液注入器用補助具とする。【選択図】図２
2011177437.tif 000002
【特許請求の範囲】
【請求項１】
注入口を先端に備えた筒状部材と、該筒状部材の後端から挿入されて当該筒状部材の内部に収納した薬液を押し出す押圧部材とを備えた薬液注入器に装着する補助具であって、
略円筒状の補助具本体と、該補助具本体の外周面に設けられた少なくとも２つの係止部とを有し、該少なくとも２つの係止部は互いに前記補助具本体の直径方向反対側の位置に設けられ、
前記補助具本体を前記薬液注入器の筒状部材に外嵌し、前記係止部のうちの直径方向反対側の位置に設けられた２つの係止部に環状弾性部材の二点を掛止し、当該二点の間に位置する環状弾性部材の部分を前記押圧部材の後端部に当接させる
ことを特徴とする薬液注入器用補助具。
【請求項２】
前記係止部は３個以上設けられ、前記補助具本体の直径方向反対側の２箇所に前記係止部のうちの２つが設けられるとともに、残りは前記補助具本体の直径方向反対側の位置に設けられた２つの係止部を通る前記補助具本体の軸方向にそれぞれ設けられていることを特徴とする請求項１に記載の薬液注入器用補助具。
【請求項３】
弾性部材保持部を備えたキャップ部を備え、
前記環状弾性部材の二点を前記補助具本体の直径方向反対側の位置に設けられた２つの係止部に掛止するとともに、当該二点の間に位置する環状弾性部材の部分を前記キャップ部の前記弾性部材保持部に保持させ、当該キャップ部を前記押圧部材の後端部に当接させる
ことを特徴とする請求項１または請求項２に記載の薬液注入器用補助具。
【請求項４】
前記環状弾性部材を複数備えることを特徴とする請求項１〜請求項３のいずれか１項に記載の薬液注入器用補助具。
【請求項５】
前記環状弾性部材が輪ゴムであることを特徴とする請求項１〜請求項４のいずれか１項に記載の薬液注入器用補助具。
【請求項６】
前記薬液が半固形化栄養剤であるであることを特徴とする請求項１〜請求項５のいずれか１項に記載の薬液注入器用補助具。
【請求項７】
請求項１〜請求項６のいずれか１項の薬液注入器用補助具を備えることを特徴とする薬液注入器。
【発明の詳細な説明】
【技術分野】
【０００１】
本発明は、薬液注入器用補助具に関し、より詳しくは、医療分野における経腸栄養剤や流動食において、粘度の高い半固形状の栄養剤等を患者に投与するための薬液注入器に装着する補助具に関する。
【背景技術】
【０００２】
近年、高齢化社会の到来に伴い、経口摂取困難な高齢者における栄養投与手段として、経管チューブを介して栄養剤の投与を受ける患者が増加してきた。特に、内視鏡を用いて簡便に胃瘻が作成できる経皮内視鏡的胃瘻造設術（Percutaneous Endoscopic Gastrostomy：ＰＥＧ）が開発されて以来、ＰＥＧは安全かつ有効な栄養投与手段として広く普及してきた。
【０００３】
ＰＥＧ栄養療法は、患者の腹壁と胃壁とに跨って造設された胃瘻の瘻孔に胃瘻用カテーテルを挿入し、この胃瘻用カテーテルを通して栄養剤を患者の胃に注入する方法である。栄養剤は、一般に、ビタミン、タンパク質、脂質、糖質、ミネラル等を含むように調製された液体の栄養剤である。この液体の栄養剤は流動性が高いため、噴門や幽門を容易に通過するという問題点を持っている。栄養剤が噴門を容易に通過すると胃食道逆流が生じやすく、栄養剤が幽門を通過する量が多いと下痢の原因となる。また、瘻孔の弛緩や拡張により液体の栄養剤は容易にチューブ挿入部を通過し、栄養剤リークの原因になる。
【０００４】
そこで近年、液状栄養剤の粘度を調整し、固形化や半固形化することが行われている。このような固形化又は半固形化栄養剤をＰＥＧを介して投与する場合、現状では、投与するための適切な容器がなく、そのため、注射用のシリンジやドレッシングポット等の既存の容器を代替使用している。
【０００５】
しかしながら、シリンジやドレッシングポット等の容器を用いる場合、固形化又は半固形化栄養剤を押し出すためには強い力で圧迫しなければならず、また持続した力を要することから操作性が悪いという問題がある。特に、一般家庭においては、近年介護者の高齢化が進み、高齢者が高齢者を介護する、老老介護も現実のものとなってきており、高齢者にとって強い力で栄養剤を押し出すことは大きな負担となる。また施設等でも、被介護者の増加により、介護者一人あたりの負担が増加していることが問題となっている。
【０００６】
一方、医療現場において、薬液を注射する際に自動的に注入するよう構成した注射器が種々提案されている。例えば、注射器に定荷重バネを備え、定荷重バネの戻り力（荷重）を利用して、注射筒内にプランジャーを一定の押圧力で押し込み、薬液を定量的に連続注入する注射器が提案されている（例えば、特許文献１、２参照）。また、プレフィルドタイプの注射器において、コイルバネの付勢力を用いて注射器の基端に設けたガスケットを摺動させて、充填した薬液を自動的に注入する注射器が提案されている（例えば、特許文献３参照）。
【先行技術文献】
【特許文献】
【０００７】
【特許文献１】特開平５−２４５１９７号公報
【特許文献２】特開平７−１３６２６３号公報
【特許文献３】特開平７−３１６７８号公報
【発明の概要】
【発明が解決しようとする課題】
【０００８】
固形化又は半固形化栄養剤を投与するために、上記した特許文献１〜３のような薬液を自動注入できる注射器を代替使用することも考えられるが、定荷重バネやコイルバネを装備した注射器は高価であるため、一般家庭で手軽に使用できるものではない。また、特許文献３の注射器は、あらかじめ薬液が充填されたプレフィルドタイプの注射器であるため再利用できず、栄養剤の投与には不向きである。そして、特許文献１、２の注射器を代替使用した場合、定量的に栄養剤を投与することはできるが、栄養剤の粘度が高くなるに従って負荷がかかり、投与時間が長くなるおそれがある。
【０００９】
栄養剤の投与時間が長くなると患者へ負担が掛かることになり、できるだけ時間をかけずに投与できることが望ましい。そして、一般家庭で使用するにあたり複雑な装置等を用いることなく簡便に取り扱うことができるものが望まれている。
【００１０】
そこで、本発明は、シリンジ等の既存の容器に装着して使用することができ、しかも取り扱いが容易で、半固形化栄養剤を薬液注入器から自動的に、投与量を調整しながら注入することができる薬液注入器用補助具を提供することを課題とする。
【課題を解決するための手段】
【００１１】
上記課題を、下記（１）〜（７）により解決する。
（１）注入口を先端に備えた筒状部材と、該筒状部材の後端から挿入されて当該筒状部材の内部に収納した薬液を押し出す押圧部材とを備えた薬液注入器に装着する補助具であって、
略円筒状の補助具本体と、該補助具本体の外周面に設けられた少なくとも２つの係止部とを有し、該少なくとも２つの係止部は互いに前記補助具本体の直径方向反対側の位置に設けられ、
前記補助具本体を前記薬液注入器の筒状部材に外嵌し、前記係止部のうちの直径方向反対側の位置に設けられた２つの係止部に環状弾性部材の二点を掛止し、当該二点の間に位置する環状弾性部材の部分を前記押圧部材の後端部に当接させる
ことを特徴とする薬液注入器用補助具。
（２）前記係止部は３個以上設けられ、前記補助具本体の直径方向反対側の２箇所に前記係止部のうちの２つが設けられるとともに、残りは前記補助具本体の直径方向反対側の位置に設けられた２つの係止部を通る前記補助具本体の軸方向にそれぞれ設けられていることを特徴とする上記（１）に記載の薬液注入器用補助具。
（３）弾性部材保持部を備えたキャップ部を備え、
前記環状弾性部材の二点を前記補助具本体の直径方向反対側の位置に設けられた２つの係止部に掛止するとともに、当該二点の間に位置する環状弾性部材の部分を前記キャップ部の前記弾性部材保持部に保持させ、当該キャップ部を前記押圧部材の後端部に当接させる
ことを特徴とする上記（１）または（２）に記載の薬液注入器用補助具。
（４）前記環状弾性部材を複数備えることを特徴とする上記（１）〜（３）のいずれかに記載の薬液注入器用補助具。
（５）前記環状弾性部材が輪ゴムであることを特徴とする上記（１）〜（４）のいずれかに記載の薬液注入器用補助具。
（６）前記薬液が半固形化栄養剤であるであることを特徴とする上記（１）〜（５）のいずれかに記載の薬液注入器用補助具。
（７）上記（１）〜（６）のいずれかに記載の薬液注入器用補助具を備えることを特徴とする薬液注入器。
【発明の効果】
【００１２】
本発明によれば、薬液が収容された薬液注入器に装着することで、環状弾性部材の弾性収縮力により当該薬液注入器の押圧部材が押圧され、薬液を自動的に押し出すことができる。従って、操作が容易であるため、高齢者や介護者の負担になることがない。
また、キャップ部を備えた場合は、キャップ部の弾性部材保持部に環状弾性部材を保持させて、その両端の二点を補助具本体の係止部に掛止させた状態でキャップ部を引くことにより、キャップ部を押圧部材の後端部に容易に装着できる。そして、キャップ部で押圧部材の後端部を押圧するので、確実に押圧部材を押圧することができる。
また、環状弾性部材の本数や環状弾性部材を掛止する係止部の位置を変えることにより、押圧部材を押圧する力の調節が容易にできるため、薬液の注入速度を適宜調整することができる。従って、液体の薬液だけでなく半固形化栄養剤などの粘度の高い薬液も容易に投与することが可能である。更に、環状弾性部材として輪ゴムを用いれば、輪ゴムが破損した場合であっても輪ゴムの替えを容易に入手できる。
【図面の簡単な説明】
【００１３】
【図１】本発明に係る第１実施形態の薬液注入器用補助具の斜視図である。
【図２】第１実施形態の薬液注入器用補助具を薬液注入器に装着した使用状態を示す斜視図である。
【図３】本発明に係る第２実施形態の薬液注入器用補助具の斜視図である。
【図４】（ａ）はキャップ部の上面図、（ｂ）は（ａ）のＡ−Ａ断面図である。
【図５】第２実施形態の薬液注入器用補助具を装着した薬液注入器の薬液吐出前の断面図である。
【図６】第２実施形態の薬液注入器用補助具を装着した薬液注入器の薬液吐出時の断面図である。
【発明を実施するための形態】
【００１４】
以下、本発明の薬液注入器用補助具の実施形態について図面を参照して説明する。
尚、本発明において、薬液注入器の注入口側を前方とし、押圧部材が挿入される側を後方とする。
【００１５】
（第１実施形態）
図１〜図２は本発明の第１実施形態の薬液注入器用補助具の説明図である。図１は第１実施形態の薬液注入器用補助具の斜視図、図２は第１実施形態の薬液注入器用補助具を薬液注入器に装着した使用状態を示す斜視図である。
【００１６】
本発明の第１実施形態の薬液注入器用補助具１は、後述する薬液注入器５に装着する外筒装着部材であって、図１に示したように、略円筒状の補助具本体１１と該補助具本体１１の外周面に設けられた２つの係止部１２とで構成されている。
【００１７】
補助具本体１１は、薬液注入器５の筒状部材５１の外径よりも大きい内径を有する両端を開口した略円筒形状であり、その外周面には補助具本体１１の軸と平行な平坦部１３が２箇所に形成されている。これらの平坦部１３は、補助具本体１１の直径方向反対側の位置に、互いに略平行となるように形成される。
【００１８】
係止部１２は、補助具本体１１の各平坦部１３の後端部からそれぞれ略垂直に外方に突出する突出部１２ａと、該各突出部１２ａの先端からそれぞれ前方に向くアーム部１２ｂと、該各アーム部１２ｂの先端からそれぞれ平坦部１３側に突出する規制片１２ｃとからなる鉤状部材である。つまり、これら２つの係止部１２は前記補助具本体１１の直径方向反対側の位置に互いに対向するように設けられている。
【００１９】
本発明の薬液注入器用補助具１を適用する薬液注入器５は、図２に示したように、注入口５２を先端に備えた筒状部材５１と、該筒状部材５１の後端から挿入されて当該筒状部材５１の内部に収容された薬液を押し出す押圧部材５５とを備えるものである。
筒状部材５１は合成樹脂や硬質ガラスによって形成された中空状の筒体であり、先端に注入口５２を備えるとともに、後端には鍔部（フランジ部）５３を備えている。押圧部材５５はロッド５６の先端にゴム製のガスケット５８が取り付けられ、後端に押圧片５７を備えている。前記ガスケット５８は前記筒状部材５１の後端から挿入され、該筒状部材５１内を液密状態で摺動する。薬液注入器５としては、例えば、シリンジタイプの注射器を使用することができる。
【００２０】
薬液注入器５に収容する薬液としては、例えば、半固形化栄養剤が挙げられる。本発明において、半固形化とは液体のような流動性はないが、プリンや茶碗蒸しのように一定の形状を保持した状態のものや濃度の高い流体のことをいう。本発明において、半固形化栄養剤は、２５℃での粘度が１００〜５０，０００Ｐａ・ｓのものであればよく、５，０００〜２０，０００Ｐａ・ｓのものがより好ましい。粘度が上記範囲であると、本発明の効果を十分に得ることができる。
【００２１】
本発明の薬液注入器用補助具１は、図２に示したように、薬液注入器５の筒状部材５１に外嵌され、薬液注入器用補助具１の２つの係止部１２に環状弾性部材２の二点を掛止し、この二点の間に位置する環状弾性部材２の部分を押圧部材５５の後端部である押圧片５７に当接させて使用する。
【００２２】
第１実施形態において、前記環状弾性部材２は輪ゴムを用いることが好ましい。輪ゴムは、ゴム線材を環状に構成したものであり、一般に市販されている物を使用することができる。
【００２３】
次に、第１実施形態の薬液注入器用補助具１を用いて薬液注入器５内の薬液（半固形化栄養剤６）を吐出する動作について説明する。
まず、押圧部材５５を筒状部材５１の内部に挿入した状態から後方へ引くことにより筒状部材５１の注入口５２から薬液注入器５内に半固形化栄養剤６を吸引する。
次に、薬液注入器５に本発明の薬液注入器用補助具１を装着する。つまり、薬液注入器用補助具１の補助具本体１１を薬液注入器５の筒状部材５１の注入口５２側から外嵌する。このとき薬液注入器用補助具１の係止部１２のアーム部１２ｂの先端が前方（薬液注入器５の注入口５２側）に向くようにする。次に、環状弾性部材（輪ゴム）２の一端を一方の係止部１２に掛け、他端をもう一方の係止部１２に掛ける。そして、輪ゴム２の両端（すなわち、係止部１２に掛止させた二点）の間の部分を押圧部材５５の押圧片５７に当接させる。このとき、補助具本体１１の後端部は鍔部５３に当接し、前記輪ゴム２は伸長して緊張状態になっている。
【００２４】
この状態で手を離すと、輪ゴム２の弾性収縮力により押圧片５７が押圧され、押圧部材５５が筒状部材５１の内部を前方方向に摺動し、薬液注入器５に収容されている半固形化栄養剤６が注入口５２から自動的に押し出される。
【００２５】
第１実施形態において、補助具本体１１の外周面に平坦部１３を形成して、この平坦部１３に係止部１２を設けているので、係止部１２が突出して薬液注入器用補助具１が幅広になるのを防止することができる。
【００２６】
また、前記薬液注入器用補助具１の係止部１２には規制片１２ｃを設けているので、輪ゴム２がその弾性収縮力により伸長がなくなった場合でも、係止部１２から輪ゴム２が脱落することはない。
【００２７】
また、環状弾性部材２として輪ゴムを用いるので、劣化しても容易に交換でき、費用もほとんどかからない。
【００２８】
そして、本発明の薬液注入器用補助具１は、その後端部が薬液注入器５の筒状部材５１の鍔部５３に当接可能であれば、種々の直径の薬液注入器５に適用することができる。
【００２９】
（第２実施形態）
次に、本発明の第２実施形態の薬液注入器用補助具について説明する。なお、第２実施形態において、第１実施形態と同一部分には同一符号を付して説明を省略する。
【００３０】
図３〜図６は本発明の第２実施形態の薬液注入器用補助具の説明図である。図３は第２実施形態の薬液注入器用補助具の斜視図、図４（ａ）はキャップ部の上面図、図４（ｂ）は図４（ａ）のＡ−Ａ断面図である。図５は第２実施形態の薬液注入器用補助具を装着した薬液注入器の薬液吐出前の断面図であり、図６は第２実施形態の薬液注入器用補助具を装着した薬液注入器の薬液吐出時の断面図である。
【００３１】
第２実施形態の薬液注入器用補助具１０は、図３に示したように、外筒装着部材３とキャップ部４とを備えている。
【００３２】
外筒装着部材３は、略円筒状の補助具本体１１と該補助具本体１１の外周面に設けられた複数の係止部１２とで構成されている。
【００３３】
補助具本体１１は、薬液注入器５の筒状部材５１の外径よりも大きい内径を有する両端を開口した略円筒形状であり、その外周面には補助具本体１１の軸と平行な平坦部１３が２箇所に形成されている。これらの平坦部１３は、補助具本体１１の直径方向反対側の位置に、互いに略平行となるように形成される。
【００３４】
係止部１２は、補助具本体１１の平坦部１３から略垂直に外方に突出する突出部１２ａと、該突出部１２ａの先端から前方に向くアーム部１２ｂと、該アーム部１２ｂの先端から平坦部１３側に突出する規制片１２ｃとからなる鉤状部材である。
【００３５】
第２実施形態において、図３、図５および図６に示したように、係止部１２は、補助具本体１１の各平坦部１３の後端部であって、直径方向反対側の位置に設けられた２つの第１係止部１２Ａと、これら第１係止部１２Ａの同軸上に所定間隔を設けて設けられた２つの第２係止部１２Ｂとを備え、合計で４つの係止部１２を備えている。
【００３６】
キャップ部４は、図３および図４に示したように、所望の肉厚を有する略円形の薄板部材として形成されたキャップ本体部４１と、該キャップ本体部４１の上面に設けられた指掛け部４２とで構成されている。
【００３７】
キャップ本体部４１の上面には、直径方向に溝部を設けて弾性部材保持部４３が形成されている。該弾性部材保持部４３の両端部は切り欠いて環状弾性部材２を通す案内溝４５を設けるとともに、切り欠いたキャップ本体部４１の端部にはそれぞれ規制突起４７を設けている。対向する規制突起４７は互いに離間した状態とされている。規制突起４７をそのように構成することで、環状弾性部材２を側方から案内溝４５に嵌めることができるとともに、環状弾性部材２の抜け防止にもなる。また、キャップ本体部４１の下面には、薬液注入器５の押圧部材５５の押圧片５７を支持するための押圧片支持凹部４９が形成されている。
【００３８】
次に、第２実施形態の薬液注入器用補助具１０を用いて薬液注入器５内の薬液（半固形化栄養剤６）を吐出する動作について説明する。
図５に示したように、半固形化栄養剤６を収容した薬液注入器５に、係止部１２のアーム部１２ｂの先端が前方（薬液注入器５の注入口５２側）に向くようにして外筒装着部材３を装着する。一方、環状弾性部材（輪ゴム）２をキャップ部４の弾性部材保持部４３に掛けて保持させ、その両端は案内溝４５を通して垂下させておく。
次に、輪ゴム２の一端を外筒装着部材３の一方の第１係止部１２Ａに掛け、他端をもう一方の第１係止部１２Ａに掛ける。そして、キャップ部４を後方に引いて、キャップ部４の押圧片支持凹部４９を押圧部材５５の押圧片５７に当接させる。このとき、外筒装着部材３の補助具本体１１の後端部は薬液注入器５の鍔部５３に当接し、前記輪ゴム２は伸長して緊張状態になっている。
【００３９】
この状態で手を離すと、図６に示したように、輪ゴム２の弾性収縮力によりキャップ部４が押圧片５７を押圧し、押圧部材５５が筒状部材５１の内部を前方方向に摺動し、薬液注入器５に収容されている半固形化栄養剤６が注入口５２から自動的に押し出される。
【００４０】
第２実施形態において、キャップ部４を備えることにより、押圧部材５５の押圧片５７を確実に押圧することができる。
【００４１】
また、キャップ部４は指掛け部４２を備えているので、該指掛け部４２に指を掛けて引くことでキャップ部４の押圧部材５５の押圧片５７への装脱着を容易に行うことができる。
【００４２】
また、環状弾性部材２を掛止する係止部１２の位置を変えることにより、押圧部材５５を押圧する力の調節が可能である。つまり、環状弾性部材２をより前方側にある第２係止部１２Ｂに掛止させることでより強い力で押圧部材５５を押圧でき、薬液注入器５内の薬液を速く吐出させることができる。従って、半固形化栄養剤６のように粘度の高い薬液であっても所望の注入速度で注入することができる。
【００４３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
例えば、環状弾性部材を２重にして用いたり、複数本用いることもできる。このように構成することで、押圧部材を押圧する押圧力の調節を適宜行うことができ、薬液の粘度に係らず、投与時間の調整ができる。
【００４５】
また、係止部を複数備えることにより、環状弾性部材を掛止する位置を変えて押圧部材を押圧する押圧力の調節を行うことができる。
【産業上の利用可能性】
【００４６】
本発明の薬液注入器用補助具は、シリンジ等の既存の容器に装着して用いることができるため、粘度の高い経腸栄養剤や流動食等を患者に投与する際に有効に利用できる。
【符号の説明】
【００４７】
１      薬液注入器用補助具
２      環状弾性部材（輪ゴム）
３      外筒装着部材
４      キャップ部
５      薬液注入器
６      半固形化栄養剤
１０    薬液注入器用補助具
１１    補助具本体
１２    係止部
１２Ａ  第１係止部
１２Ｂ  第２係止部
１２ａ  突出部
１２ｂ  アーム部
１２ｃ  規制片
１３    平坦部
４１    キャップ本体部
４２    指掛け部
４３    弾性部材保持部
４５    案内溝
４７    規制突起
４９    押圧片支持凹部
５１    筒状部材
５２    注入口
５３    鍔部（フランジ部）
５５    押圧部材
５６    ロッド
５７    押圧片
５８    ガスケット
【図１】
2011177437.tif 000003
【図２】
2011177437.tif 000004
【図３】
2011177437.tif 000005
【図４】
2011177437.tif 000006
【図５】
2011177437.tif 000007
【図６】
2011177437.tif 000008